(57)【要約】【課題】好適に現金の移動先や移動する金額を把握することができるようにする。【解決手段】商品の代金を現金にて決済する釣銭釣札機を夫々備える複数の販売データ処理装置を含み、一の釣銭釣札機から出金した貨幣を他の釣銭釣札機に入金可能な販売データ処理システムにおける前記販売データ処理装置は、貨幣を出金させる出金対象の釣銭釣札機を識別するための情報と、貨幣を入金させる入金対象の釣銭釣札機を識別するための情報と、貨幣の入出金情報と、を記録した入出金共通の入出金指示媒体を発行する発行手段と、前記前記入出金指示媒体に記録されている情報を読み取り可能な読取手段とを備え、前記発行手段は、発行する前記入出金指示媒体に、更に、前記出金対象の釣銭釣札機と、前記入金対象の釣銭釣札機と、を視認可能に記録する。【選択図】図５
2019083075.tif 000002
【特許請求の範囲】
【請求項１】
商品の代金を現金にて決済する釣銭釣札機を夫々備える複数の販売データ処理装置を含み、一の釣銭釣札機から出金した貨幣を他の釣銭釣札機に入金可能な販売データ処理システムであって、
貨幣を出金させる出金対象の釣銭釣札機を識別するための情報と、貨幣を入金させる入金対象の釣銭釣札機を識別するための情報と、貨幣の入出金情報と、を記録した入出金共通の入出金指示媒体を発行する発行手段と、
前記前記入出金指示媒体に記録されている情報を読み取り可能な読取手段と
を備え、
前記発行手段は、
発行する前記入出金指示媒体に、更に、前記出金対象の釣銭釣札機と、前記入金対象の釣銭釣札機と、を視認可能に記録することを特徴とする販売データ処理システム。
【請求項２】
前記発行手段は、
前記読取手段によって読み取られた前記入出金指示媒体に基づいて貨幣を出金した場合には、少なくとも、出金した金種と、枚数と、を視認可能に記録した出金履歴情報を出金レシートとして発行する、
ことを特徴とする請求項１に記載の販売データ処理システム。
【請求項３】
前記発行手段は、
前記読取手段によって読み取られた前記入出金指示媒体に基づいて貨幣を入金した場合には、少なくとも、入金した金種と、枚数と、を視認可能に記録した入金履歴情報を入金レシートとして発行する、
ことを特徴とする請求項１又は請求項２に記載の販売データ処理システム。
【請求項４】
商品の代金を現金にて決済する釣銭釣札機を夫々備える複数の販売データ処理装置を含み、一の釣銭釣札機から出金した貨幣を他の釣銭釣札機に入金可能な販売データ処理システムにおける前記販売データ処理装置であって、
貨幣を出金させる出金対象の釣銭釣札機を識別するための情報と、貨幣を入金させる入金対象の釣銭釣札機を識別するための情報と、貨幣の入出金情報と、を記録した入出金共通の入出金指示媒体を発行する発行手段と、
前記前記入出金指示媒体に記録されている情報を読み取り可能な読取手段と
を備え、
前記発行手段は、
発行する前記入出金指示媒体に、更に、前記出金対象の釣銭釣札機と、前記入金対象の釣銭釣札機と、を視認可能に記録することを特徴とする販売データ処理装置。
【請求項５】
商品の代金を現金にて決済する釣銭釣札機を夫々備える複数の販売データ処理装置を含み、一の釣銭釣札機から出金した貨幣を他の釣銭釣札機に入金可能な販売データ処理システムにおける前記販売データ処理装置としてコンピュータを機能させるプログラムであって、
前記コンピュータを、
貨幣を出金させる出金対象の釣銭釣札機を識別するための情報と、貨幣を入金させる入金対象の釣銭釣札機を識別するための情報と、貨幣の入出金情報と、を記録した入出金共通の入出金指示媒体を発行する発行制御手段、
前記前記入出金指示媒体に記録されている情報を読み取り可能な読取手段
として機能させ、
前記発行制御手段は、
発行する前記入出金指示媒体に、更に、前記出金対象の釣銭釣札機と、前記入金対象の釣銭釣札機と、を視認可能に記録することを特徴とするプログラム。
【請求項６】
商品の代金を現金にて決済する釣銭釣札機を夫々備える複数の販売データ処理装置を含み、一の釣銭釣札機から出金した貨幣を他の釣銭釣札機に入金可能な販売データ処理システムにおける前記販売データ処理装置における販売データ処理方法であって、
前記販売データ処理装置が、貨幣を出金させる出金対象の釣銭釣札機を識別するための情報と、貨幣を入金させる入金対象の釣銭釣札機を識別するための情報と、貨幣の入出金情報と、を記録した入出金共通の入出金指示媒体を発行する発行ステップと、
前記前記入出金指示媒体に記録されている情報を読み取り可能な読取ステップと
を含み、
前記発行ステップは、
発行する前記入出金指示媒体に、更に、前記出金対象の釣銭釣札機と、前記入金対象の釣銭釣札機と、を視認可能に記録する
ことを特徴とする販売データ処理方法。
【発明の詳細な説明】
【技術分野】
【０００１】
本発明は、販売データ処理システム、販売データ処理装置、販売データ処理方法、及びプログラムに関する。
【背景技術】
【０００２】
近年、ＰＯＳレジスタなどの精算装置を備えた精算システムでは、自装置で保持する現金に不足が生じた場合に、他の精算装置から現金を入金する技術が知られている（例えば、特許文献１を参照）。
【先行技術文献】
【特許文献】
【０００３】
【特許文献１】特開平９−１０２０８１号公報
【発明の概要】
【発明が解決しようとする課題】
【０００４】
しかしながら、上述の精算システムでは、好適に現金を移動することができなかった。また、現金の移動先や移動する金額を把握するのが難しかった。
【０００５】
本発明は、上記問題を解決すべくなされたもので、その目的は、好適に現金の移動先や移動する金額を把握することができる技術を提供することにある。
【課題を解決するための手段】
【０００６】
上記問題を解決するために、本発明の一態様は、商品の代金を現金にて決済する釣銭釣札機を夫々備える複数の販売データ処理装置を含み、一の釣銭釣札機から出金した貨幣を他の釣銭釣札機に入金可能な販売データ処理システムであって、貨幣を出金させる出金対象の釣銭釣札機を識別するための情報と、貨幣を入金させる入金対象の釣銭釣札機を識別するための情報と、貨幣の入出金情報と、を記録した入出金共通の入出金指示媒体を発行する発行手段と、前記前記入出金指示媒体に記録されている情報を読み取り可能な読取手段とを備え、前記発行手段は、発行する前記入出金指示媒体に、更に、前記出金対象の釣銭釣札機と、前記入金対象の釣銭釣札機と、を視認可能に記録することを特徴とする販売データ処理システムである。
上記の販売データ処理システムによれば、現金の移動先や移動する金額を把握することができる。
【０００７】
また、本発明の一態様は、上記の販売データ処理システムにおいて、前記発行手段は、前記読取手段によって読み取られた前記入出金指示媒体に基づいて貨幣を出金した場合には、少なくとも、出金した金種と、枚数と、を視認可能に記録した出金履歴情報を出金レシートとして発行する。
上記の販売データ処理システムによれば、好適に現金の移動先や移動する金額を把握することができる。
【０００８】
また、本発明の一態様は、上記の販売データ処理システムにおいて、前記発行手段は、前記読取手段によって読み取られた前記入出金指示媒体に基づいて貨幣を入金した場合には、少なくとも、入金した金種と、枚数と、を視認可能に記録した入金履歴情報を入金レシートとして発行する。
上記の販売データ処理システムによれば、好適に現金の移動先や移動する金額を把握することができる。
【０００９】
また、本発明の一態様は、商品の代金を現金にて決済する釣銭釣札機を夫々備える複数の販売データ処理装置を含み、一の釣銭釣札機から出金した貨幣を他の釣銭釣札機に入金可能な販売データ処理システムにおける前記販売データ処理装置であって、貨幣を出金させる出金対象の釣銭釣札機を識別するための情報と、貨幣を入金させる入金対象の釣銭釣札機を識別するための情報と、貨幣の入出金情報と、を記録した入出金共通の入出金指示媒体を発行する発行手段と、前記前記入出金指示媒体に記録されている情報を読み取り可能な読取手段とを備え、前記発行手段は、発行する前記入出金指示媒体に、更に、前記出金対象の釣銭釣札機と、前記入金対象の釣銭釣札機と、を視認可能に記録することを特徴とする販売データ処理装置である。
上記の販売データ処理装置によれば、好適に現金の移動先や移動する金額を把握することができる。
【００１０】
また、本発明の一態様は、商品の代金を現金にて決済する釣銭釣札機を夫々備える複数の販売データ処理装置を含み、一の釣銭釣札機から出金した貨幣を他の釣銭釣札機に入金可能な販売データ処理システムにおける前記販売データ処理装置としてコンピュータを機能させるプログラムであって、前記コンピュータを、貨幣を出金させる出金対象の釣銭釣札機を識別するための情報と、貨幣を入金させる入金対象の釣銭釣札機を識別するための情報と、貨幣の入出金情報と、を記録した入出金共通の入出金指示媒体を発行する発行制御手段、前記前記入出金指示媒体に記録されている情報を読み取り可能な読取手段として機能させ、前記発行制御手段は、発行する前記入出金指示媒体に、更に、前記出金対象の釣銭釣札機と、前記入金対象の釣銭釣札機と、を視認可能に記録することを特徴とするプログラムである。
上記のプログラムによれば、好適に現金の移動先や移動する金額を把握することができる。
【００１１】
また、本発明の一態様は、商品の代金を現金にて決済する釣銭釣札機を夫々備える複数の販売データ処理装置を含み、一の釣銭釣札機から出金した貨幣を他の釣銭釣札機に入金可能な販売データ処理システムにおける前記販売データ処理装置における販売データ処理方法であって、前記販売データ処理装置が、貨幣を出金させる出金対象の釣銭釣札機を識別するための情報と、貨幣を入金させる入金対象の釣銭釣札機を識別するための情報と、貨幣の入出金情報と、を記録した入出金共通の入出金指示媒体を発行する発行ステップと、前記前記入出金指示媒体に記録されている情報を読み取り可能な読取ステップとを含み、前記発行ステップは、発行する前記入出金指示媒体に、更に、前記出金対象の釣銭釣札機と、前記入金対象の釣銭釣札機と、を視認可能に記録することを特徴とする販売データ処理方法である。
上記の販売データ処理方法によれば、好適に現金の移動先や移動する金額を把握することができる。
【発明の効果】
【００１２】
本発明によれば、好適に現金の移動先や移動する金額を把握することができる。
【図面の簡単な説明】
【００１３】
【図１】本発明の一実施形態によるＰＯＳシステム１の構成図の一例である。
【図２】ＰＯＳシステム１に含まれるＰＯＳレジスタ２の外観正面図及び側面図の一例である。
【図３】ＰＯＳシステム１に含まれるＰＯＳレジスタ２の電気回路の構成を示すブロック図の一例である。
【図４】本実施形態による入出金指示情報のデータ例を示す図である。
【図５】ＰＯＳレジスタ２が印刷するレシートの一例を示す図である。
【図６】ＰＯＳレジスタ２の動作の一例を示すフローチャートである。
【図７】ＰＯＳレジスタ２の入出金伝票の発行処理の一例を示すフローチャートである。
【図８】ＰＯＳレジスタ２の出金処理の一例を示すフローチャートである。
【図９】ＰＯＳレジスタ２の入金処理の一例を示すフローチャートである。
【図１０】ＰＯＳレジスタ２によるニアエンドを通知する表示画面の一例を示す図である。
【図１１】ＰＯＳレジスタ２による釣銭情報の表示画面の一例を示す図である。
【図１２】ＰＯＳレジスタ２による釣銭残置情報と出金可能な装置情報との表示例を示す図である。
【図１３】ＰＯＳレジスタ２による入出金の詳細情報の表示例を示す図である。
【図１４】ＰＯＳレジスタ２による棒金の出金指示を示す表示画面の一例を示す図である。
【図１５】ＰＯＳレジスタ２による棒金の出金におけるエラー画面の一例を示す図である。
【図１６】ＰＯＳレジスタ２による自動釣銭釣札機の出金指示を示す表示画面の一例を示す図である。
【図１７】ＰＯＳレジスタ２による自動釣銭釣札機の入金指示を示す表示画面の一例を示す図である。
【図１８】ＰＯＳレジスタ２による入金処理後の釣銭残置情報の表示例を示す図である。
【発明を実施するための形態】
【００１４】
以下、本発明の一実施形態について、図面を参照して説明する。
図１は、本発明の一実施形態によるＰＯＳシステム１の構成図の一例である。
ＰＯＳシステム１（精算システムの一例）は、図１に示すように、Ｎ台のＰＯＳレジスタ２−１、ＰＯＳレジスタ２−２、…、ＰＯＳレジスタ２−Ｎと、ストアコントローラ３とを含む。各装置は、ＬＡＮ（Ｌｏｃａｌ  Ａｒｅａ  Ｎｅｔｗｏｒｋ）を介して接続されている。また、ＬＡＮ上には、他の装置を監視する監視装置（アシストモニタ、管理装置とも称する）４が接続されていてもよい。以下、ＰＯＳレジスタ２−１、ＰＯＳレジスタ２−２、…、ＰＯＳレジスタ２−Ｎの夫々を特に区別しない場合にはＰＯＳレジスタ２と総称する。
【００１５】
ストアコントローラ３は、ＰＯＳシステム１を制御するコンピュータ（例えば、サーバ）である。ストアコントローラ３は、例えば、商品マスタを記憶する。商品マスタは、各商品の商品識別情報（例えば、ＪＡＮコード）、商品名称、販売価格などの商品情報を格納（保持）するファイルである。ストアコントローラ３は、管理装置、上位装置とも称される。
【００１６】
ＰＯＳレジスタ２は、主に、購入される商品の登録を行う登録処理と、主に、登録された商品の代金決済を行う精算処理（会計処理、決済処理とも称する）とを実行するための装置である。即ち、ＰＯＳレジスタ２は、主に登録処理を行う登録装置の機能と主に精算処理を行う精算装置の機能とを兼ね備えた装置である。
【００１７】
次に、図２及び図３を参照して、ＰＯＳレジスタ２の構成について説明する。
図２は、ＰＯＳシステム１に含まれるＰＯＳレジスタ２の外観正面図及び側面図の一例である。この図において、図２（ａ）は、ＰＯＳレジスタ２の外観正面図を示し、図２（ａ）は、ＰＯＳレジスタ２の側面図を示している。
また、図３は、ＰＯＳシステム１に含まれるＰＯＳレジスタ２の電気回路の構成を示すブロック図の一例である。
図２及び図３に示すように、ＰＯＳレジスタ２は、ＣＰＵ１１、ＲＯＭ１２、ＲＡＭ１３、店員用表示部１４、操作部１５、客用表示部１６、自動釣銭釣札機１７、スキャナ部１８、印刷部１９、通信部２０、撮像部２１、ハードディスク２２、及び棒金ドロア２３を備えている。
【００１８】
ＣＰＵ（中央演算装置）１１は、ＰＯＳレジスタ２の全体を制御する制御手段である。ＣＰＵ１１は、図示するように他の構成要素それぞれと接続されている。ＣＰＵ１１の動作の詳細は後述する。
【００１９】
ＲＯＭ（Ｒｅａｄ  Ｏｎｌｙ  Ｍｅｍｏｒｙ）１２は、種々の情報を記憶する不揮発性の記憶部である。ＲＯＭ１２は、例えば、ＣＰＵ１１が実行するプログラムを記憶する。
【００２０】
ＲＡＭ（Ｒａｎｄｏｍ  Ａｃｃｅｓｓ  Ｍｅｍｏｒｙ）は、種々の情報を記憶する揮発性の記憶部である。ＲＡＭ１３は、例えば、ＣＰＵ１１によってＲＯＭ１２から読み出された情報（例えば、上記プログラム）、ＣＰＵ１１によって処理された情報等を記憶する。
【００２１】
ハードディスク２２は、種々の情報を記憶する記憶装置である。ハードディスク２２は、例えば、ストアコントローラ３から取得した情報（例えば、商品マスタ）、ＣＰＵ１１によって処理された情報等を記憶する。
【００２２】
店員用表示部１４は、ＣＰＵ１１の制御に従って店員向けに情報を表示する表示部として機能するほか、店員から入力操作を受け付ける操作部（タッチパネル）として機能する。
操作部１５は、商品登録の完了入力や精算時においてお客から受け取った預かり金額などの数字データ入力等を行うための操作を受け付ける。
客用表示部１６は、ＣＰＵ１１の制御に従ってお客向けに情報を表示する表示部である。
【００２３】
自動釣銭釣札機１７は、貨幣（金銭）が収納される収納部３０（図３において非図示）の入出金を制御する装置であり、（釣銭機とも称する。なお、図２及び図３に示す例では、自動釣銭釣札機１７は、ＰＯＳレジスタ２に内蔵されているが、自動釣銭釣札機１７は、ＰＯＳレジスタ２に接続されて外部に構成されていてもよい。また、ＰＯＳレジスタ２に内蔵された自動釣銭釣札機１７と、ＰＯＳレジスタ２に接続されている自動釣銭釣札機１７とを特に区別しない場合には、ともに、ＰＯＳレジスタ２の自動釣銭釣札機１７とも称する。また、自動釣銭釣札機１７を内蔵するＰＯＳレジスタ２と自動釣銭釣札機１７を接続しているＰＯＳレジスタ２とを特に区別しない場合には、ともに、自動釣銭釣札機１７を内蔵等するＰＯＳレジスタ２とも称する。
【００２４】
自動釣銭釣札機１７は、ＰＯＳレジスタ２において、登録された商品の代金を現金にて決済するときに使用される。自動釣銭釣札機１７は、貨幣（紙幣）を投入するための紙幣投入口（非図示）、貨幣（硬貨）を投入するための硬貨投入口１７ｂ、貨幣（紙幣）を放出するための紙幣放出口（非図示）、貨幣（硬貨）を放出するための硬貨放出口１７ａ、投入又は放出される貨幣を計数する計数部（非図示）、投入口又は放出口と収納部３０の間の貨幣の搬送機構（非図示）などを有する。なお、紙幣投入口及び硬貨投入口１７ｂは、預り金投入口とも称される。また、紙幣放出口及び硬貨放出口１７ａは、釣銭放出口とも称される。なお、紙幣投入口と紙幣放出口は共通であってもよく、また、硬貨投入口１７ｂと硬貨放出口１７ａは共通であってもよい。
【００２５】
また、自動釣銭釣札機１７は、ＣＰＵ１１の制御に従って、釣銭投入された貨幣（例えば、精算時に預かった貨幣、補充時に補充された貨幣）を計数し、収納部３０に収納する。また、自動釣銭釣札機１７は、放出する貨幣（例えば、精算時に釣り銭とする貨幣、又は、補充時に出金する貨幣）を計数し、釣銭放出口から放出する。
【００２６】
また、自動釣銭釣札機１７は、ＣＰＵ１１の制御に従って、金種毎の残置枚数（収納枚数）を管理する。具体的には、自動釣銭釣札機１７は、金種毎の残置枚数に関する最新情報（以下、釣銭残置情報という）を管理する。例えば、自動釣銭釣札機１７は、貨幣投入時には、金種毎の投入枚数（入金枚数）に基づいて金種毎の残置枚数に関する情報を更新（加算）し、貨幣放出時には、金種毎の放出枚数（出金枚数）に基づいて金種毎の残置枚数に関する情報を更新（減算）する。また、自動釣銭釣札機１７は、貨幣の投入、放出に際し、金種毎の投入枚数などの情報を含む入金履歴情報と、金種毎の放出枚数などの情報を含む出金履歴情報とを記憶する。
なお、ＰＯＳレジスタ２が自動釣銭釣札機１７より金種毎の残置枚数（収納枚数）、金種毎の残置枚数に関する最新情報、入金履歴情報、出金履歴情報などを一取引毎に受信して記憶し管理するようにしてもよい。
【００２７】
なお、金種毎の残置枚数に関する最新情報（釣銭残置情報）、入金履歴情報、出金履歴情報は、自動釣銭釣札機１７の内部（例えば、自動釣銭釣札機１７が備える記憶領域（非図示））に記憶されてもよいし、自動釣銭釣札機１７の外部（例えば、ハードディスク２２）に記憶されてもよい。
【００２８】
スキャナ部１８は、コード情報（例えば、バーコード）を読み取る。スキャナ部１８は、例えば、バーコードリーダ装置などである。スキャナ部１８は、読み取ったデータ（コード情報）をＣＰＵ１１に供給する。例えば、スキャナ部１８は、商品に貼付されたコード情報（例えば、ＪＡＮコード）を読み取り、そのデータをＣＰＵ１１へ供給する。また、スキャナ部１８は、出金伝票（釣銭出金伝票、出金指示レシートとも称する）や入金伝票（釣銭入金伝票、入金指示レシートとも称する）、入出金伝票（釣銭入出金伝票、入出金指示レシートとも称する）に印刷（記録）されたコード情報（例えば、Ｃｏｄｅ１２８、ＩＴＦｃｏｄｅ）を読み取り、そのデータをＣＰＵ１１へ供給する。
【００２９】
なお、図２には、スキャナ部１８を示していないが、スキャナ部１８は、ＰＯＳレジスタ２の装置本体に有線で接続され、読み取ったデータを有線で装置本体に送信する構成としてもよいし、無線によって装置本体に接続され、読み取ったデータを装置本体に無線によって送信するような構成としてもよい。
【００３０】
印刷部１９は、ＣＰＵ１１の制御に従って、印刷物を印刷（発行）する。例えば、印刷部１９は、精算処理の完了後、買上商品の明細情報等を印刷媒体（記録媒体とも称する）に印刷してレシートとして発行する。また、印刷部１９は、貨幣を補充する際に、所望の金種、所望の枚数の貨幣を自動釣銭釣札機１７及び棒金ドロア２３から出金させるコード情報等を印刷媒体に印刷して出金伝票として発行し、あるいは、所望の金種、所望の枚数の貨幣を自動釣銭釣札機１７に入金させるコード情報等を印刷媒体に印刷して入金伝票として発行する。
【００３１】
通信部２０は、ＣＰＵ１１の制御に従ってＬＡＮを介して外部と通信する。例えば、通信部２０は、適宜、ストアコントローラ３から商品マスタを受信する。また、通信部２０は、精算処理の完了後、ストアコントローラ３に取引情報を送信する。
また、通信部２０は、当該ＰＯＳレジスタ２（自装置）の自動釣銭釣札機１７の貨幣（釣り銭）がゼロに近い枚数である旨（即ち、釣銭ニアエンドである旨）を報知する情報（以下、釣銭ニアエンド情報という）を他のＰＯＳレジスタ２（他装置）に送信する。
【００３２】
また、通信部２０は、自動釣銭釣札機１７の釣銭残置情報を要求する旨の命令（以下、釣銭残置情報要求という）を他のＰＯＳレジスタ２に送信する。また、通信部２０は、他のＰＯＳレジスタ２からの釣銭残置情報要求の応答として、当該ＰＯＳレジスタ２の自動釣銭釣札機１７の釣銭残置情報を要求元の他のＰＯＳレジスタ２に送信する。
【００３３】
撮像部２１は、例えば、カメラであり、ＣＰＵ１１の制御に従って撮像する。例えば、撮像部２１は、当該ＰＯＳレジスタ２を操作する店員、当該ＰＯＳレジスタ２による商品の登録や精算を受けているお客を撮像する。また、撮像部２１は、出金伝票や入金伝票に印刷（記録）されたコード情報（例えば、二次元バーコード、例えば、ＱＲコード（登録商標）など）を読み取り、そのデータをＣＰＵ１１へ供給してもよい。
なお、図２には撮像部２１を示していないが、撮像部２１は、ＰＯＳレジスタ２の装置本体に有線で接続され、撮像画像を有線で装置本体に送信する構成としてもよいし、無線によって装置本体に接続され、撮像画像を装置本体に無線によって送信するような構成としてもよい。
【００３４】
棒金ドロア２３は、同一種類の硬貨が所定の枚数（例えば、５０枚）束ねられている棒金を収納する装置である。棒金ドロア２３は、図２に示すように、例えば、自動釣銭釣札機１７の下に配置され、複数種類の硬貨の棒金を収納する。また、棒金ドロア２３は、硬貨の種類ごとに棒金が収納されていることを検出するセンサー部４０を備えている。例えば、センサー部４０が、棒金ドロア２３から出金した所定の硬貨の枚数を検知し、棒金ドロア２３は、出金した所定の硬貨の枚数をＣＰＵ１１に供給する。
【００３５】
なお、図２及び図３に示す例では、棒金ドロア２３は、ＰＯＳレジスタ２に内蔵されているが、棒金ドロア２３は、ＰＯＳレジスタ２に接続されて外部に構成されていてもよい。また、ＰＯＳレジスタ２に内蔵された棒金ドロア２３と、ＰＯＳレジスタ２に接続されている棒金ドロア２３とを特に区別しない場合には、ともに、ＰＯＳレジスタ２の棒金ドロア２３とも称する。また、棒金ドロア２３を内蔵するＰＯＳレジスタ２と棒金ドロア２３を接続しているＰＯＳレジスタ２とを特に区別しない場合には、ともに、棒金ドロア２３を内蔵等するＰＯＳレジスタ２とも称する。
【００３６】
以下、ＰＯＳレジスタ２のＣＰＵ１１の動作について説明する。
ＣＰＵ１１は、店員の操作に応じて登録処理及び精算処理を実行する。例えば、ＣＰＵ１１は、店員がスキャナ部１８によって商品に貼付された商品コードを読み取った場合、又は、店員用表示部１４に表示されているプリセットボタンを操作した場合、お客の購入する商品を登録する。続いて、ＣＰＵ１１は、店員が操作部１５の所定キー（例えば、小計キーなど）を押下した場合、合計金額（客への請求金額）等を店員用表示部１４及び客用表示部１６に表示させる。
【００３７】
続いて、ＣＰＵ１１は、店員がお客からの預かり金を預り金投入口に投入し、操作部１５の所定キー（例えば、締めキー（現計キー）、終了キー、お会計キー）が押下されると、自動釣銭釣札機１７に、投入された貨幣の計数を実行させる。自動釣銭釣札機１７は、金種毎に投入された貨幣を計数する。ＣＰＵ１１は、計数結果（投入金額）を自動釣銭釣札機１７から取得し、登録された商品の合計金額と投入金額とを比較する。
【００３８】
ＣＰＵ１１は、登録された商品の合計金額と投入金額とが一致する場合、店員用表示部１４及び客用表示部１６に合計金額と投入金額とお釣りが無い旨を表示させる。また、ＣＰＵ１１は、自動釣銭釣札機１７（収納部３０）に、投入された貨幣を収納させる。
自動釣銭釣札機１７は、投入された貨幣を収納部３０に収納し、ＣＰＵ１１は、金種毎の投入枚数に基づいて、記憶領域（又は、ハードディスク２２）に記憶されている、金種毎の残置枚数に関する最新情報（釣銭残置情報）を更新する。また、自動釣銭釣札機１７又はＣＰＵ１１は、金種毎の投入枚数などの情報を含む入金履歴情報を記憶領域（又は、ハードディスク２２）に記憶させる。
【００３９】
なお、自動釣銭釣札機１７又はＣＰＵ１１は、登録処理及び精算処理による入金である旨の情報を含む入金履歴情報を記憶領域（又は、ハードディスク２２）に記憶させてもよい。また、ＣＰＵ１１は、印刷部１９に、店舗名、日時、操作者名、購入商品明細、合計金額、投入金額等を印刷したレシートを発行させる。また、ＣＰＵ１１は、通信部２０を介して、日時、当該ＰＯＳレジスタ２の装置番号、購入商品の商品コード等を含む取引情報をストアコントローラ３に送信する。また、ＣＰＵ１１は、お釣りが無い旨（例えば、お釣り「０円」）を表示させてもよいし、お釣りが無い旨を印刷したレシートを発行させてもよい。
【００４０】
ＣＰＵ１１は、登録された商品の合計金額よりも投入金額が多い場合、釣銭金額を計算し、店員用表示部１４及び客用表示部１６に合計金額、投入金額及び釣銭金額を表示させる。また、ＣＰＵ１１は、自動釣銭釣札機１７に、投入された貨幣を収納させるとともに、釣り銭を放出させる。
自動釣銭釣札機１７は、投入された貨幣を収納部３０に収納するとともに、金種毎に放出する貨幣を計数し、釣銭放出口から釣り銭として放出する。自動釣銭釣札機１７が釣銭を放出した後、ＣＰＵ１１は、金種毎の投入枚数及び放出枚数に基づいて、記憶領域（又は、ハードディスク２２）に記憶されている、金種毎の残置枚数に関する最新情報（釣銭残置情報）を更新する。また、自動釣銭釣札機１７又はＣＰＵ１１は、金種毎の投入枚数などの情報を含む入金履歴情報と、金種毎の放出枚数などの情報を含む出金履歴情報とを記憶領域（又は、ハードディスク２２）に記憶させる。
【００４１】
なお、自動釣銭釣札機１７又はＣＰＵ１１は、登録処理及び会計処理による入金である旨の情報を含む入金履歴情報を記憶してもよい。また、なお、自動釣銭釣札機１７又はＣＰＵ１１は、登録処理及び精算処理による出金である旨の情報を含む出金履歴情報を記憶領域（又は、ハードディスク２２）に記憶させてもよい。また、ＣＰＵ１１は、印刷部１９に、店舗名、日時、操作者名、購入商品明細、合計金額、投入金額、釣銭金額等を印刷したレシートを発行させる。また、ＣＰＵ１１は、通信部２０を介して、日時、当該ＰＯＳレジスタ２の装置番号、購入商品の商品コード等を含む取引情報をストアコントローラ３に送信する。
【００４２】
ＣＰＵ１１は、登録された商品の合計金額よりも投入金額が少ない場合、お客からの預かり金が不足している旨を表示させる。ＣＰＵ１１は、店員が不足する追加の預かり金を預り金投入口に投入し、操作部１５の所定キー（例えば、締めキー（現計キー）、終了キー、お会計キー）が押下されると、自動釣銭釣札機１７に、上記と同様に、投入された貨幣の計数を実行させる。
【００４３】
また、ＣＰＵ１１は、釣銭ニアエンドであるか否かを判定する。つまり、ＰＯＳレジスタ２は上述の如く自動釣銭釣札機１７を内蔵している場合と内蔵していない場合とがあるが、いずれの場合においても、自動釣銭釣札機１７が釣銭ニアエンドであるか否かを、当該ＰＯＳレジスタ２のＣＰＵ１１が判定する。例えば、ＣＰＵ１１は、金種毎の残置枚数に関する情報を参照し、残置枚数が基準枚数（釣銭ニアエンドの判定用の基準枚数）未満であるときに、釣銭ニアエンドであると判定する。なお、ＣＰＵ１１は、棒金ドロア２３が収納する棒金から補充が可能であるか否かを判定し、棒金ドロア２３が収納する棒金から補充が可能でない場合に、釣銭ニアエンドであると判定してもよい。また、棒金ドロア２３が収納する棒金から補充が可能である場合には、ＣＰＵ１１は、店員に棒金ドロア２３から自動釣銭釣札機１７に棒金により硬貨を補充する旨の指示を店員用表示部１４に表示させてもよい。
【００４４】
なお、釣銭ニアエンドの判定用の基準枚数は、金種毎に設定しておいてもよい。また、釣銭ニアエンドの判定用の基準枚数は、ＰＯＳレジスタ２別に金種毎に設定しておいてもよい。ＣＰＵ１１は、釣銭ニアエンドであるときは、釣銭ニアエンド情報を他のＰＯＳレジスタ２に送信するように制御する。
【００４５】
より詳細には、ＣＰＵ１１は、釣銭ニアエンドである金種毎の現枚数情報を含む釣銭ニアエンド情報を送信するように制御してもよいし、釣銭ニアエンドである金種毎の要補充枚数情報を含む釣銭ニアエンド情報を送信するように制御してもよい。釣銭ニアエンドである金種毎の要補充枚数情報を含む釣銭ニアエンド情報を送信する態様の場合、金種毎に十分な枚数（十分枚数）を予め設定しておき、釣銭ニアエンドである金種毎に、十分枚数と現枚数との差を要補充枚数として計算し、他の装置に送信する釣銭ニアエンド情報に含めるようにしてもよい。なお、釣銭ニアエンド情報の送信先は、ＰＯＳシステム１に存在する全部の他装置であってもよいし、予め設定した１以上の他装置であってもよい。
【００４６】
また、ＣＰＵ１１は、通信部２０を介して、他のＰＯＳレジスタ２から釣銭ニアエンド情報を受信した場合、又は、自らのＰＯＳレジスタ２が釣銭ニアエンドである場合に、釣銭ニアエンドとなっているＰＯＳレジスタ２が存在している旨を示す警告情報を店員用表示部１４に表示させる。
また、ＣＰＵ１１は、ＰＯＳレジスタ２が釣銭ニアエンドとなっている場合に、釣銭ニアエンドとなっているＰＯＳレジスタ２に貨幣を補充するために使用する入出金伝票（例えば、入出金指示レシート）を印刷部１９より印刷（発行）するように制御する。ここで、入出金伝票は、釣銭ニアエンドとなっているＰＯＳレジスタ２以外の他のＰＯＳレジスタ２から貨幣を出金させる際、及び釣銭ニアエンドとなっているＰＯＳレジスタ２に貨幣を入金させる際に使用する。
【００４７】
ＣＰＵ１１は、釣銭ニアエンドとなっているＰＯＳレジスタ２に貨幣を補充する場合に、ＰＯＳレジスタ２から所定の硬貨（例えば、１円硬貨、１０円硬貨など）の出金が可能であるか否かを判定する。ＣＰＵ１１は、ＰＯＳレジスタ２から所定の硬貨の出金が可能であるか否かを判定する際に、自動釣銭釣札機１７に収納されている所定の硬貨の枚数と、棒金ドロア２３に収納されている所定の硬貨の枚数とに基づいて、所定の硬貨の出金が可能であるか否かを判定する。
例えば、ＣＰＵ１１は、所定の硬貨の出金が可能であると判定した場合であって、同一種類の所定の硬貨を出金する枚数が、棒金を構成する所定の枚数（例えば、５０枚）以上である場合に、棒金ドロア２３に収納されている所定の硬貨を自動釣銭釣札機１７に収納されている所定の硬貨よりも優先させて出金を指示する出金指示情報（例えば、入出金指示書）を生成する。すなわち、この場合には、ＣＰＵ１１は、まず棒金ドロア２３から出金させて、残りの硬貨を自動釣銭釣札機１７から出金させる出金指示情報を生成する。この場合、ＣＰＵ１１は、棒金ドロア２３が収納している硬貨を優先させて出金させる。
【００４８】
また、例えば、ＣＰＵ１１は、所定の硬貨の出金が可能であると判定した場合であって、同一種類の所定の硬貨を出金する枚数が、棒金を構成する所定の枚数（例えば、５０枚）未満である場合に、自動釣銭釣札機１７に収納されている所定の硬貨を棒金ドロア２３に収納されている所定の硬貨より優先させて硬貨の出金を指示する出金指示情報（例えば、入出金指示書）を生成する。すなわち、この場合、ＣＰＵ１１は、自動釣銭釣札機１７が収納している硬貨を優先させて出金させる。
ＣＰＵ１１は、このように生成した入出金指示情報を、例えば、監視装置４の記憶領域に、図４に示すように記憶させる。ここで、図４を参照して、出金指示情報について説明する。
【００４９】
図４は、本実施形態による入出金指示情報のデータ例を示す図である。
この図に示すように、ＣＰＵ１１は、「Ｎｏ．」と、「自レジスタ」と、「エンド／フル」、「相手先レジスタ」と、「出金／入金」と、「自動釣銭釣札機からの移動」と、「棒金ドロアからの移動」とを関連付けた出金指示情報を監視装置４の記憶領域に記憶させる。ここで、「Ｎｏ．」は、移動処理（補充処理）を識別するための処理番号を示し、「自レジスタ」は、対象となるＰＯＳレジスタ２（釣銭ニアエンド又は釣銭ニアフルが発生しているＰＯＳレジスタ２）を示す装置番号（レジ番号とも称する）を示している。また、「エンド／フル」は、「自レジスタ」によって示されるＰＯＳレジスタ２が、釣銭ニアエンドにあるか、釣銭ニアフルにあるかを示している。「エンド／フル」は、釣銭ニアエンドにある場合に、“１”を示し、釣銭ニアフルにある場合に、“０”を示している。
【００５０】
また、「相手先レジスタ」は、相手先（出金元、又は入金先）となるＰＯＳレジスタ２を示している。また、「出金／入金」は、「相手先レジスタ」によって示されるＰＯＳレジスタ２が、出金処理を行うのか、入金処理を行うのかを示している。「出金／入金」は、出金処理を行う場合に、“１”を示し、入金処理を行う場合に、“０”を示している。
また、「自動釣銭釣札機からの移動」は、自動釣銭釣札機１７から移動する各貨幣の枚数を示している。また、「棒金ドロアからの移動」は、棒金ドロア２３から移動する各貨幣の枚数を示している。
【００５１】
図４に示す例では、例えば、「Ｎｏ．」が“０００１”の移動処理は、「自レジスタ」が３番のＰＯＳレジスタ２であり、当該ＰＯＳレジスタ２は、釣銭ニアエンド（「エンド／フル」が“１”）であることを示している。また、「相手先レジスタ」が５番のＰＯＳレジスタ２であり、当該ＰＯＳレジスタ２は、出金処理を行う（「出金／入金」が“１”）であることを示している。また、自動釣銭釣札機１７から移動する貨幣の枚数が、「１０円」が“１０枚”であることを示し、棒金ドロア２３から移動する貨幣の枚数が、「１０円」が“５０枚”であることを示している。このように、ＣＰＵ１１は、移動処理を識別する識別情報（「Ｎｏ．」）と、出金元を識別する情報と、入金先を識別する情報と、自動釣銭釣札機１７から移動する各貨幣の枚数を示す情報と、棒金ドロア２３から移動する各貨幣の枚数を示す情報とを関連付けた入出金指示情報を監視装置４の記憶領域に記憶させる。
なお、ＣＰＵ１１は、このような入出金指示情報を、通信部２０を介して監視装置４に送信し、監視装置４の記憶領域に入出金指示情報を記憶させる。
【００５２】
また、ＣＰＵ１１は、生成した入出金指示情報に基づいて、入出金処理に使用するための、上述した入出金伝票（例えば、入出金指示レシート）を生成し、生成した入出金伝票（例えば、入出金指示レシート）を印刷部１９に印刷させる。すなわち、ＣＰＵ１１は、棒金ドロア２３から出金する所定の硬貨の枚数を特定する情報と、自動釣銭釣札機１７から出金する所定の硬貨の枚数を特定する情報とを含むコード情報を、印刷部１９に対して、１つの入出金伝票（記録媒体の一例）に出力（印刷）させる。ＣＰＵ１１は、入出金伝票に、当該入出金伝票を読み取らせるＰＯＳレジスタ２の装置番号などを視認可能（機械によらず読解可能）に印刷（例えば、文字にて印刷）させるとともに、金種毎の放出枚数（出金枚数）などをコード化したコード情報を印刷させる。なお、入出金伝票には、１つの移動処理における入出金指示情報を全て含んでいてもよいし、入出金指示情報の一部を含んでいてもよい。入出金伝票の詳細については、図５を参照して後述する。
【００５３】
なお、ＣＰＵ１１は、釣銭ニアエンドとなっているＰＯＳレジスタ２以外の他のＰＯＳレジスタ２の夫々に釣銭残置情報要求を送信し、釣銭ニアエンドとなっている他のＰＯＳレジスタ２以外の他のＰＯＳレジスタ２の夫々から夫々の釣銭残置情報を受信する。
換言すれば、ＣＰＵ１１は、他のＰＯＳレジスタ２から釣銭残置情報要求を受信した場合には、当該ＰＯＳレジスタ２の自動釣銭釣札機１７の釣銭残置情報を釣銭残置情報要求の応答として、要求元の他のＰＯＳレジスタ２に送信する。
【００５４】
ＣＰＵ１１は、スキャナ部１８（又は撮像部２１）によって入出金伝票が読み取られた場合（即ち、入出金伝票に印刷されたコード情報が読み取られた場合）、コード化されていた装置番号に基づいて、読み取られた出金伝票が自装置を対象とするものであるか否かを判定する。ＣＰＵ１１は、読み取られた出金伝票が自装置を対象とするものである場合には、入出金伝票にコード化されていた情報により特定される金種毎の放出枚数に基づいて、自動釣銭釣札機１７と棒金ドロア２３とからの出金処理を実行させる。ここで、ＣＰＵ１１は、入出金伝票にコード化されていた情報に基づいて、監視装置４が記憶する入出金指示情報を参照し、金種毎の放出枚数を取得する。また、ＣＰＵ１１は、金種毎の投入枚数や、入出金伝票による入金である旨の情報を含む出金履歴情報を出金レシートとして、印刷部１９に印刷させる。また、ＣＰＵ１１は、この出金履歴情報を記憶領域（又は、ハードディスク２２）に記憶させる。また、ＣＰＵ１１は、釣銭ニアエンドに起因する出金（他の装置への補充するための出金）である旨の情報を含む出金履歴情報を記憶させてもよい。
【００５５】
釣銭ニアエンドであるＰＯＳレジスタ２のＣＰＵ１１は、スキャナ部１８（又は撮像部２１）によって入出金伝票が読み取られた場合（即ち、入金伝票に印刷されたコード情報が読み取られた場合）、コード化されていた装置番号に基づいて、読み取られた入出金伝票が自装置を対象とするものであるか否かを判定する。ＣＰＵ１１は、読み取られた入出金伝票が自装置を対象とするものである場合には、預り金投入口への貨幣の投入を受け付ける。ＣＰＵ１１は、貨幣の投入後、投入された金種と枚数とが、入金伝票にコード化されていた情報により特定される金種毎の投入枚数と一致するか否かを判定する。ＣＰＵ１１は、一致した場合には、自動釣銭釣札機１７に入金処理を実行させる（投入貨幣を収納（入金）させる）。また、ＣＰＵ１１は、金種毎の投入枚数や、入出金伝票による入金である旨の情報を含む入金履歴情報を入金レシートとして、印刷部１９に印刷させる。また、ＣＰＵ１１は、この入金履歴情報を記憶領域（又は、ハードディスク２２）に記憶させる。また、ＣＰＵ１１は、釣銭ニアエンドに起因する入金（釣銭ニアエンドの解消のため他の装置から出金された貨幣の入金）である旨の情報を含む入金履歴情報を記憶させてもよい。
【００５６】
図５は、ＰＯＳレジスタ２が印刷するレシートの一例を示す図である。ＰＯＳレジスタ２は、出金可能なＰＯＳレジスタ２が選択された後に、図５（ａ）に示すように、入出金伝票（入出金指示レシート）を発行する。すなわち、ＣＰＵ１１は、図５（ａ）に示すような入出金指示レシートを、印刷部１９に印刷させる。なお、図５（ａ）に示す例では、５番のＰＯＳレジスタ２から３番のＰＯＳレジスタ２に、貨幣を移動（補充）する場合の入出金指示レシートを示している。また、図５（ａ）において、上述したコード情報は、バーコードＣＤ１（二次元コードの一例）である。
【００５７】
また、図５（ｂ）は、出金したＰＯＳレジスタ２が印刷（発行）する出金レシートを示している。この図５（ｂ）に示す例では、３番のＰＯＳレジスタ２に向けて“１０円硬貨”を“６０枚”、“￥６００”が、出金されたことを示している。
また、図５（ｃ）は、入金したＰＯＳレジスタ２が印刷（発行）する入金レシートを示している。この図５（ｂ）に示す例では、５番のＰＯＳレジスタ２から“１０円硬貨”を“６０枚”、“￥６００”が、入金されたことを示している。
【００５８】
図６〜図９は、ＰＯＳレジスタ２の動作の一例を示すフローチャートである。図６に示すフローチャートは、釣銭の補充に関する処理における動作の一例を示している。
図７に示すフローチャートは、図６に示すフローチャートの入出金伝票の発行処理（ステップＳ１０４）の詳細である。また、図８に示すフローチャートは、図６に示すフローチャートの出金処理（ステップＳ１０９）の詳細である。また、図９に示すフローチャートは、図６に示すフローチャートの入金処理（ステップＳ１０９）の詳細である。
【００５９】
なお、図６に示すフローチャートによる処理は、電源オンの状態において、例えば、取引間を含む、登録処理又は精算処理を実行していないときに、適宜（例えば周期的に）、実行される。図６〜図９に示すフローチャートの各ステップは、ＣＰＵ１１が実行又は制御する。まず、図６が示すＰＯＳレジスタ２の動作の一例について説明する。
【００６０】
ステップＳ１０１：ＣＰＵ１１は、自装置の自動釣銭釣札機１７が釣銭ニアエンドであるか否かを判定する。ＣＰＵ１１は、釣銭ニアエンドである場合（ステップＳ１０１：ＹＥＳ）に、処理をステップＳ１０２に進める。また、ＣＰＵ１１は、釣銭ニアエンドでない場合（ステップＳ１０１：ＮＯ）に、処理をステップＳ１０３に進める。
【００６１】
ステップＳ１０２：ＣＰＵ１１は、釣銭ニアエンド情報を他装置に送信する。なお、ＣＰＵ１１は、釣銭ニアエンドである金種毎の現枚数情報を含む釣銭ニアエンド情報を他装置に送信してもよいし、釣銭ニアエンドである金種毎の要補充枚数情報を含む釣銭ニアエンド情報を他装置に送信してもよい。
【００６２】
ステップＳ１０３：ＣＰＵ１１は、他装置から釣銭ニアエンド情報を受信したか否かを判定する。ＣＰＵ１１は、釣銭ニアエンド情報を受信している場合（ステップＳ１０３：ＹＥＳ）に、処理をステップＳ１０４に進める。また、ＣＰＵ１１は、釣銭ニアエンド情報を受信していない場合（ステップＳ１０３：ＮＯ）に、処理をステップＳ１０５に進める。
【００６３】
ステップＳ１０４：ＣＰＵ１１は、入出金伝票の発行処理を実行する。具体的には、ＣＰＵ１１は、図７に示す入出金伝票の発行処理を実行し、図５（ａ）に示すような入出金指示レシートを発行する。入出金伝票の発行処理の詳細については、図７を参照して後述する。
【００６４】
ステップＳ１０５：ＣＰＵ１１は、他装置から釣銭残置情報要求を受信したか否かを判定する。ＣＰＵ１１は、釣銭残置情報要求を受信している場合（ステップＳ１０５：ＹＥＳ）に、処理をステップＳ１０６に進める。また、ＣＰＵ１１は、釣銭ニアエンド情報を受信していない場合（ステップＳ１０５：ＮＯ）に、処理をステップＳ１０８に進める。
【００６５】
ステップＳ１０６：ＣＰＵ１１は、自装置の釣銭残置情報を取得する。
ステップＳ１０７：ＣＰＵ１１は、ステップＳ１０６にて取得した釣銭残置情報を釣銭残置情報要求の要求元に送信する。
【００６６】
ステップＳ１０８：ＣＰＵ１１は、入出金伝票が読み取られたか否かを判定する。すなわち、ＣＰＵ１１は、スキャナ部１８（又は撮像部２１）によって入出金伝票（図５（ａ）に示すような入出金指示レシート）が読み取られたか否かを判定する。ＣＰＵ１１は、入出金伝票が読み取られている場合（ステップＳ１０８：ＹＥＳ）に、処理をステップＳ１０９に進める。また、ＣＰＵ１１は、入出金伝票が読み取られていない場合（ステップＳ１０８：ＮＯ）に、処理を終了させる。
【００６７】
ステップＳ１０９：ＣＰＵ１１は、出金処理、又は入金処理を実行する。具体的には、ＣＰＵ１１は、図８に示す出金処理、又は図９に示す入金処理を実行する。ステップＳ１０９の処理後、ＣＰＵ１１は、処理を終了させる。
【００６８】
次に、図７を参照して、図６に示すステップＳ１０４の処理である入出金伝票の発行処理の詳細について説明する。
図７は、ＰＯＳレジスタ２の入出金伝票の発行処理の一例を示すフローチャートである。
ここでは、３番のＰＯＳレジスタ２が釣銭ニアエンドになり、５番のＰＯＳレジスタ２から補充する場合の一例について説明する。また、ここでは、入出金伝票の発行処理の一例として、釣銭ニアエンドが発生している３番のＰＯＳレジスタ２による処理を説明するが、３番のＰＯＳレジスタ２以外の装置で実行されてもよい。
【００６９】
ステップＳ２０１：ＣＰＵ１１は、釣銭ニアエンドの装置（ＰＯＳレジスタ２）が存在している旨の警告情報「確認情報」を表示させる。すなわち、ＣＰＵ１１は、図１０に示す店員用表示部１４の表示画面Ｇ１において、「確認情報」ボタンＢＴ１を表示させる。
【００７０】
ステップＳ２０２：ＣＰＵ１１は、図１０に示す「確認情報」ボタンＢＴ１が押下されたか否かを判定する。ＣＰＵ１１は、「確認情報」ボタンＢＴ１が押下された場合（ステップＳ２０２：ＹＥＳ）に、処理をステップＳ２０３に進める。また、ＣＰＵ１１は、「確認情報」ボタンＢＴ１が押下されていない場合（ステップＳ２０２：ＮＯ）に、処理をステップＳ２０２に戻し、ステップＳ２０２の処理を繰り返す。
【００７１】
ステップＳ２０３：ＣＰＵ１１は、釣銭情報を店員用表示部１４に表示させる。具体的に、ＣＰＵ１１は、図１１に示す表示画面Ｇ２のような釣銭情報を店員用表示部１４に表示させる。
【００７２】
ステップＳ２０４：ＣＰＵ１１は、図１１に示す「補充」ボタンＢＴ２が押下されたか否かを判定する。ＣＰＵ１１は、「補充」ボタンＢＴ２が押下された場合（ステップＳ２０４：ＹＥＳ）に、処理をステップＳ２０５に進める。また、ＣＰＵ１１は、「補充」ボタンＢＴ２が押下されていない場合（ステップＳ２０４：ＮＯ）に、処理をステップＳ２０４に戻し、ステップＳ２０４の処理を繰り返す。
【００７３】
ステップＳ２０５：ＣＰＵ１１は、従業員バーコードの読み取りを実行する。具体的に、ＣＰＵ１１は、店員用表示部１４に従業員バーコードの読み取りを指示する旨を表示させて、店員に従業員バーコードをスキャナ部１８（又は撮像部２１）から読み込ませる。
【００７４】
ステップＳ２０６：ＣＰＵ１１は、自装置の釣銭残置情報（金種毎の残置枚数に関する最新情報）を取得する。
ステップＳ２０７：ＣＰＵ１１は、他装置の夫々に釣銭残置情報要求を送信する。
ステップＳ２０８：ＣＰＵ１１は、他装置の夫々から釣銭残置情報を受信する。
【００７５】
ステップＳ２０９：ＣＰＵ１１は、出金可能は装置（ＰＯＳレジスタ２）を判定する。ＣＰＵ１１は、釣銭ニアエンドである自装置の釣銭残置情報と、ステップＳ２０６にて取得した他装置の夫々から釣銭残置情報とに基づいて、釣銭ニアエンドの金種について残置基準枚数を越えて収納している装置を判定する。ここで、残置基準枚数とは、出金可能枚数の計算用の基準枚数、即ち、残しておかなければいけない基準枚数のことであり、最低保持枚数とも称する。
【００７６】
また、ＣＰＵ１１は、釣銭ニアエンドの金種が硬貨である場合に、当該硬貨の出金が可能であるか否かを判定する際に、自動釣銭釣札機１７に収納されている当該硬貨の枚数と、棒金ドロア２３に収納されている当該硬貨の枚数とに基づいて、当該硬貨の出金が可能であるか否かを判定する。具体的には、ＣＰＵ１１は、５０枚以上の当該硬貨を出金する場合には、棒金ドロア２３に収納されている当該硬貨を優先させて出力させる。また、ＣＰＵ１１は、５０枚未満の当該硬貨を出金する場合には、自動釣銭釣札機１７に収納されている当該硬貨を優先させて出力させる。
【００７７】
ステップＳ２１０：ＣＰＵ１１は、釣銭ニアエンドの装置の釣銭残置情報と、出金可能な装置の情報を店員用表示部１４に表示させる。ＣＰＵ１１は、例えば、図１２に示すような表示画面Ｇ３を店員用表示部１４に表示させる。ここで、図１２に示す釣銭残置情報と出金可能な装置との表示例について説明する。
【００７８】
図１２は、ＰＯＳレジスタ２による釣銭残置情報と出金可能な装置情報との表示例を示す図である。
この図において、表示画面Ｇ３は、釣銭ニアエンドである３番のＰＯＳレジスタ２の釣銭残置情報（釣銭残高）と、出金可能な５番のＰＯＳレジスタ２を示す情報とを表示している。この図に示す例では、「釣銭残高」が３番のＰＯＳレジスタ２に現在収納されている各貨幣の釣銭枚数を示している。ここで、「釣銭残高」の上段が、自動釣銭釣札機１７に収納されている釣銭の枚数を示し、下段が、棒金ドロア２３に収納されている釣銭の枚数を示している。また、上段の括弧内は、最低保持枚数を示している。
【００７９】
図１２に示す例では、最低保持枚数は、５客分（５人の客のために必要な枚数）であり、３番のＰＯＳレジスタ２は、１０円硬貨が、最低保持枚数に達しており、釣銭ニアエンドが生じていることを示している。
また、図１２に示す例では、５番のＰＯＳレジスタ２が出金可能であることを示している。なお、「レジ間移動」は、貨幣の移動枚数を示しており、この例では、１５客分（４枚×１５客＝６０枚）を移動するように設定されている。
【００８０】
ステップＳ２１１：ＣＰＵ１１は、店員に出金装置（ＰＯＳレジスタ２）を選択させる。ＣＰＵ１１は、例えば、図１２に示す表示画面Ｇ３に表示されている出金可能な装置の中から、店員に出金装置を選択させる。図１２に示す例では、５番のＰＯＳレジスタ２が、出金可能な装置として表示されており、例えば、店員が「５番レジ」を選択すると、ＣＰＵ１１は、処理をステップＳ２１２に進める。
【００８１】
ステップＳ２１２：ＣＰＵ１１は、入出金の詳細情報を店員用表示部１４に表示させる。ＣＰＵ１１は、例えば、図１３に示すような表示画面Ｇ４を店員用表示部１４に表示させる。ここで、図１３に示す入出金の詳細情報の表示例について説明する。
【００８２】
図１３は、ＰＯＳレジスタ２による入出金の詳細情報の表示例を示す図である。
この図において、「釣銭残高」は、図１２と同様に、３番のＰＯＳレジスタ２の釣銭残高を示している。また、「移動枚数」は、入出金の詳細情報として、５番のＰＯＳレジスタ２から３番のＰＯＳレジスタ２に移動（補充）される各貨幣の枚数を示している。また、「移動枚数」における上段は、自動釣銭釣札機１７に収納されている貨幣の移動枚数を示しており、下段は、棒金ドロア２３に収納されている貨幣の移動枚数を示している。
【００８３】
また、「移動枚数」における括弧内は、移動可能な最大の枚数を示す最大移動可能枚数を示している。なお、ＣＰＵ１１は、最大移動可能枚数を、出金元のＰＯＳレジスタ２が釣銭ニアエンドにならないように、且つ、入金先のＰＯＳレジスタ２が釣銭ニアフルにならないように決定する。すなわち、ＣＰＵ１１は、出金元のＰＯＳレジスタ２が釣銭ニアエンドになる移動枚数と、入金先のＰＯＳレジスタ２が釣銭ニアフルになる移動枚数とのうち、小さい移動枚数を最大移動可能枚数として決定する。このように、ＣＰＵ１１は、複数のＰＯＳレジスタ２の間で所定の硬貨を移動する場合に、移動元である出金側のＰＯＳレジスタ２と、移動先である入金側のＰＯＳレジスタ２との両方が、移動後に所定の硬貨の過不足が生じないように、所定の硬貨を移動する枚数を決定する。
【００８４】
図１３に示す例では、５番のＰＯＳレジスタ２の自動釣銭釣札機１７から１０円硬貨の１０枚と、５番のＰＯＳレジスタ２の棒金ドロア２３から１０円硬貨の５０枚とを３番のＰＯＳレジスタ２に移動することを示している。また、この移動（補充）により、３番のＰＯＳレジスタ２の１０円硬貨が、２０枚から８０枚に増えることを示している。
なお、ＣＰＵ１１は、表示画面Ｇ４の「０」〜「９」、及び「Ｃ」のボタンを利用して、移動枚数の変更を受け付けてもよい。このように、ＣＰＵ１１は、少なくとも棒金ドロア２３から出金する所定の硬貨の枚数を示す枚数情報を店員用表示部１４に表示させるとともに、店員用表示部１４が表示している所定の硬貨の枚数を示す枚数情報（出金する枚数情報）を変更させる処理を実行する。
【００８５】
ステップＳ２１３：ＣＰＵ１１は、図１３に示す「決定」ボタンＢＴ３が押下されたか否かを判定する。ＣＰＵ１１は、「決定」ボタンＢＴ３が押下された場合（ステップＳ２１３：ＹＥＳ）に、処理をステップＳ２１４に進める。また、ＣＰＵ１１は、「決定」ボタンＢＴ３が押下されていない場合（ステップＳ２１３：ＮＯ）に、処理をステップＳ２１３に戻し、ステップＳ２１３の処理を繰り返す。
【００８６】
ステップＳ２１４：ＣＰＵ１１は、入出金指示情報を監視装置４に送信する。ＣＰＵ１１は、「決定」ボタンＢＴ３が押下により確定した入出金指示情報を監視装置４の記憶領域に、例えば、図４に示すように記憶させる。
【００８７】
ステップＳ２１５：ＣＰＵ１１は、入出金バーコードを印刷させる。すなわち、ＣＰＵ１１は、入出金指示情報に基づいて、入出金バーコードをコード化し、コード化した入出金バーコードを含む入出金伝票（例えば、図５（ａ）に示すような入出金指示レシート）を印刷部１９に印刷（発行）させる。なお、入出金バーコードは、入出金指示情報を全て含んでいてもよいし、監視装置４が記憶する入出金指示情報に基づいて、出金元のＰＯＳレジスタ２と、入金先のＰＯＳレジスタ２と、各貨幣の移動枚数とが特定できる入出金指示情報の一部の情報を含んでいてもよい。ステップＳ２１５の処理後に、ＣＰＵ１１は、入出金伝票の発行処理を終了し、処理を図６のステップＳ１０５に進める。
【００８８】
次に、図８を参照して、図６に示すステップＳ１０９の処理の１つである出金処理の詳細について説明する。
図８は、ＰＯＳレジスタ２の出金処理の一例を示すフローチャートである。
ここでは、５番のＰＯＳレジスタ２から出金する場合の一例について説明し、上述した図５（ａ）に示すような入出金指示レシートが、５番のＰＯＳレジスタ２のスキャナ部１８（又は撮像部２１）により読み取られたものとして説明する。
【００８９】
ステップＳ３０１：ＣＰＵ１１は、入出金指示情報を取得する。すなわち、ＣＰＵ１１は、スキャナ部１８（又は撮像部２１）により読み取られた、例えば、入出金バーコードに含まれる情報に基づいて、監視装置４の記憶領域を参照して、対象となる入出金指示情報を取得する。
【００９０】
ステップＳ３０２：ＣＰＵ１１は、出金の該当装置であるか否かを判定する。すなわち、ＣＰＵ１１は、ステップＳ３０１にて取得した入出金指示情報に基づいて、出金の該当装置であるか否かを判定する。ＣＰＵ１１は、出金の該当装置である場合（ステップＳ３０２：ＹＥＳ）に、処理をステップＳ３０４に進める。また、ＣＰＵ１１は、出金の該当装置でない場合（ステップＳ３０２：ＮＯ）に、処理をステップＳ３０３に進める。
【００９１】
ステップＳ３０３：ＣＰＵ１１は、エラー表示を店員用表示部１４に表示させる。すなわち、ＣＰＵ１１は、出金処理の該当装置でない旨を示す警告情報を店員用表示部１４に表示させ、ステップＳ３０３の処理後に、出金処理を終了させる。
【００９２】
ステップＳ３０４：ＣＰＵ１１は、従業員バーコードの読み取りを実行する。具体的に、ＣＰＵ１１は、店員用表示部１４に従業員バーコードの読み取りを指示する旨を表示させて、店員に従業員バーコードをスキャナ部１８（又は撮像部２１）から読み込ませる。
【００９３】
ステップＳ３０５：ＣＰＵ１１は、自装置の釣銭残置情報（金種毎の残置枚数に関する最新情報）を取得する。
ステップＳ３０６：ＣＰＵ１１は、取得した入出金指示情報に棒金による出金の指示があるか否かを判定する。ＣＰＵ１１は、棒金による出金の指示がある場合（ステップＳ３０６：ＹＥＳ）に、処理をステップＳ３０７に進める。また、ＣＰＵ１１は、棒金による出金の指示がない場合（ステップＳ３０６：ＮＯ）に、処理をステップＳ３１２に進める。
【００９４】
ステップＳ３０７：ＣＰＵ１１は、棒金の出金指示を店員用表示部１４に表示させる。ＣＰＵ１１は、例えば、図１４に示すような表示画面Ｇ５を棒金の出金指示として表示させる。例えば、図１４に示す例では、５番のＰＯＳレジスタ２から棒金により１０円硬貨を５０枚出金する場合の例であり、ＣＰＵ１１は、１０円硬貨を５０枚、合計５００円を棒金ドロア２３が出金する出金指示を店員用表示部１４に表示させる。
【００９５】
ステップＳ３０８：ＣＰＵ１１は、図１４に示す「棒金完了」ボタンＢＴ４が押下されたか否かを判定する。ＣＰＵ１１は、「棒金完了」ボタンＢＴ４が押下された場合（ステップＳ３０８：ＹＥＳ）に、処理をステップＳ３０９に進める。また、ＣＰＵ１１は、「棒金完了」ボタンＢＴ４が押下されていない場合（ステップＳ３０８：ＮＯ）に、処理をステップＳ３０８に戻し、ステップＳ３０８の処理を繰り返す。
【００９６】
ステップＳ３０９：ＣＰＵ１１は、棒金の出金指示と棒金の出金とが一致しているか否かを判定する。なお、棒金ドロア２３は、硬貨の種類ごとに棒金が収納されていることを検出するセンサー部４０を備えており、ＣＰＵ１１は、棒金ドロア２３から出金された硬貨の種類及び枚数を取得する。そして、ＣＰＵ１１は、取得した硬貨の種類及び枚数と、棒金の出金指示とが一致しているか否かを判定する。ＣＰＵ１１は、棒金の出金指示と棒金の出金とが一致している場合（ステップＳ３０９：ＹＥＳ）に、処理をステップＳ３１１に進める。また、ＣＰＵ１１は、棒金の出金指示と棒金の出金とが一致していない場合（ステップＳ３０９：ＮＯ）に、処理をステップＳ３１０に進める。
【００９７】
ステップＳ３１０：ＣＰＵ１１は、エラー表示を店員用表示部１４に表示させる。ＣＰＵ１１は、例えば、図１５に示す表示画面Ｇ６のようなエラー表示を店員用表示部１４に表示させる。ＣＰＵ１１は、ステップＳ３１０の処理後に、処理をステップＳ３０８に戻す。
【００９８】
図１５は、ＰＯＳレジスタ２による棒金の出金におけるエラー画面の一例を示す図である。
図１５に示す例では、１０円硬貨を５０枚出金する指示に対して、店員が誤って１００円硬貨を５０枚出金してしまった場合の一例である。この場合、ＣＰＵ１１は、１００円硬貨が５０枚誤って出金されたことを示す情報を表示させるとともに、棒金ドロア２３からの出金をやり直す指示を表示させる。このように、ＣＰＵ１１は、棒金ドロア２３から出金する所定の硬貨の指示枚数と、センサー部４０（検知手段の一例）が検知した所定の硬貨の枚数とが一致しない場合に警告を報知する。
【００９９】
ステップＳ３１１：ＣＰＵ１１は、取得した入出金指示情報に自動釣銭釣札機１７による出金の指示があるか否かを判定する。ＣＰＵ１１は、自動釣銭釣札機１７による出金の指示がある場合（ステップＳ３１１：ＹＥＳ）に、処理をステップＳ３１２に進める。また、ＣＰＵ１１は、自動釣銭釣札機１７による出金の指示がない場合（ステップＳ３１１：ＮＯ）に、処理をステップＳ３１３に進める。
【０１００】
ステップＳ３１２：ＣＰＵ１１は、自動釣銭釣札機１７から出金させる。ＣＰＵ１１は、取得した入出金指示情報に基づいて、自動釣銭釣札機１７から出金させ、図１６に示すような表示画面Ｇ７を店員用表示部１４に表示させる。
図１６に示す例では、自動釣銭釣札機１７から１０円硬貨を１０枚出金させる場合の一例である。
【０１０１】
ステップＳ３１３：ＣＰＵ１１は、図１６に示す「完了」ボタンＢＴ５が押下されたか否かを判定する。ここで、例えば、店員が自動釣銭釣札機１７から１０円硬貨を１０枚出金されたことを確認し、「完了」ボタンＢＴ５が押下する。ＣＰＵ１１は、「完了」ボタンＢＴ５が押下された場合（ステップＳ３１３：ＹＥＳ）に、処理をステップＳ３１４に進める。また、ＣＰＵ１１は、「完了」ボタンＢＴ５が押下されていない場合（ステップＳ３１３：ＮＯ）に、処理をステップＳ３１３に戻し、ステップＳ３１３の処理を繰り返す。
【０１０２】
ステップＳ３１４：ＣＰＵ１１は、出金履歴情報を記憶領域（又は、ハードディスク２２）に記憶させる。
ステップＳ３１５：ＣＰＵ１１は、出金レシートを印刷させる。ＣＰＵ１１は、例えば、図５（ｂ）に示すような出金レシートを印刷部１９に印刷させる。ステップＳ３１５の処理後に、ＣＰＵ１１は、出金処理を終了させる。
このように、ＣＰＵ１１は、棒金ドロア２３と自動釣銭釣札機１７との両方から出金する場合に、棒金ドロア２３と自動釣銭釣札機１７とのうちの一方の出金が完了すると、他方の出金を実行させる。
【０１０３】
次に、図９を参照して、図６に示すステップＳ１０９の処理の１つである入金処理の詳細について説明する。
図９は、ＰＯＳレジスタ２の入金処理の一例を示すフローチャートである。
ここでは、３番のＰＯＳレジスタ２に入金する場合の一例について説明し、上述した図５（ａ）に示すような入出金指示レシートが、３番のＰＯＳレジスタ２のスキャナ部１８（又は撮像部２１）により読み取られたものとして説明する。
【０１０４】
ステップＳ４０１：ＣＰＵ１１は、入出金指示情報を取得する。すなわち、ＣＰＵ１１は、スキャナ部１８（又は撮像部２１）により読み取られた、例えば、入出金バーコードに含まれる情報に基づいて、監視装置４の記憶領域を参照して、対象となる入出金指示情報を取得する。
【０１０５】
ステップＳ４０２：ＣＰＵ１１は、入金の該当装置であるか否かを判定する。すなわち、ＣＰＵ１１は、ステップＳ４０１にて取得した入出金指示情報に基づいて、入金の該当装置であるか否かを判定する。ＣＰＵ１１は、入金の該当装置である場合（ステップＳ４０２：ＹＥＳ）に、処理をステップＳ４０４に進める。また、ＣＰＵ１１は、入金の該当装置でない場合（ステップＳ４０２：ＮＯ）に、処理をステップＳ４０３に進める。
【０１０６】
ステップＳ４０３：ＣＰＵ１１は、エラー表示を店員用表示部１４に表示させる。すなわち、ＣＰＵ１１は、入金処理の該当装置でない旨を示す警告情報を店員用表示部１４に表示させ、ステップＳ４０３の処理後に、出金処理を終了させる。
【０１０７】
ステップＳ４０４：ＣＰＵ１１は、従業員バーコードの読み取りを実行する。具体的に、ＣＰＵ１１は、店員用表示部１４に従業員バーコードの読み取りを指示する旨を表示させて、店員に従業員バーコードをスキャナ部１８（又は撮像部２１）から読み込ませる。
【０１０８】
ステップＳ４０５：ＣＰＵ１１は、自装置の釣銭残置情報（金種毎の残置枚数に関する最新情報）を取得する。
ステップＳ４０６：ＣＰＵ１１は、取得した入出金指示情報に基づいて、入金指示を店員用表示部１４に表示させる。ＣＰＵ１１は、入金指示として、例えば、図１７に示すような表示画面Ｇ８を店員用表示部１４に表示させる。
図１７に示す例では、１０円硬貨を６０枚入金させる場合の一例である。この場合、ＣＰＵ１１は、１０円硬貨を６０枚入金するように指示する表示を店員用表示部１４に表示させる。
【０１０９】
ステップＳ４０７：ＣＰＵ１１は、入金完了したか否かを判定する。図１７に示すような入金指示が表示されると、店員は、指示に従って自動釣銭釣札機１７の硬貨投入口１７ｂに指示された貨幣を入金する。ＣＰＵ１１は、自動釣銭釣札機１７から入金された貨幣の枚数を示す情報を取得し、例えば、入金された貨幣の枚数と、入金指示した貨幣の枚数とが一致した場合に、入金完了したと判定する。ＣＰＵ１１は、入金完了した場合（ステップＳ４０７：ＹＥＳ）に、処理をステップＳ４０８に進める。また、ＣＰＵ１１は、入金完了していない場合（ステップＳ４０７：ＮＯ）に、処理をステップＳ４０７に戻し、ステップＳ４０７の処理を繰り返す。
【０１１０】
ステップＳ４０８：ＣＰＵ１１は、入金履歴情報を記憶領域（又は、ハードディスク２２）に記憶させる。
ステップＳ４０９：ＣＰＵ１１は、入金レシートを印刷させる。ＣＰＵ１１は、例えば、図５（ｃ）に示すような入金レシートを印刷部１９に印刷させる。ステップＳ４０９の処理後に、ＣＰＵ１１は、出金処理を終了させる。
【０１１１】
図１８は、ＰＯＳレジスタ２による入金処理後の釣銭残置情報の表示例を示す図である。
図１８に示す例では、上述した５番のＰＯＳレジスタ２から３番のＰＯＳレジスタ２に入金処理が実行された後に、３番のＰＯＳレジスタ２において、ＣＰＵ１１が、釣銭残額（釣銭残置情報）を店員用表示部１４に表示させた例を示している。この図において、表示画面Ｇ９は、上述した図１２と同様に、３番のＰＯＳレジスタ２の釣銭残置情報（釣銭残高）を表示している。この図に示す例では、「釣銭残高」において、１０円硬貨が“８０（２０）枚”に変更され、１０円硬貨が６０枚補充されたことを示している。
【０１１２】
以上説明したように、本実施形態によるＰＯＳシステム１（精算システム）は、貨幣を収納する自動釣銭釣札機１７（釣銭機）と、同一種類の硬貨が所定の枚数（複数枚）束ねられている棒金を収納する棒金ドロア２３とを有するＰＯＳレジスタ２（精算装置）を含んでいる。ＰＯＳシステム１（ＰＯＳレジスタ２）は、ＰＯＳレジスタ２から所定の硬貨の出金が可能であるか否かを判定する際に、自動釣銭釣札機１７に収納されている硬貨の枚数と、棒金ドロア２３に収納されている硬貨の枚数とに基づいて、所定の硬貨の出金が可能であるか否かを判定する制御手段（例えば、ＣＰＵ１１）を備えている。
これにより、本実施形態によるＰＯＳシステム１は、自動釣銭釣札機１７に収納されている硬貨の枚数と、棒金ドロア２３に収納されている硬貨の枚数とに基づいて出金可能か否かが判定されるので、実際に出金可能か否かをより正確に判定することができる。そのため、本実施形態によるＰＯＳシステム１は、好適に現金を移動することができる。また、同様に、ＰＯＳレジスタ２は、好適に現金を移動することができる。
【０１１３】
また、本実施形態では、ＣＰＵ１１は、同一種類の所定の硬貨を出金する枚数が、棒金を構成する複数枚数（例えば、５０枚）以上である場合に、棒金ドロア２３に収納されている所定の硬貨を自動釣銭釣札機１７に収納されている所定の硬貨よりも優先させて出金を指示する出金指示情報を生成する。
これにより、出金する枚数が棒金を構成する複数枚数（例えば、５０枚）以上である場合には、棒金が優先されて、残りが自動釣銭釣札機１７から出金されるので、本実施形態によるＰＯＳシステム１は、自動釣銭釣札機１７が収納する硬貨が必要以上に減ってしまうことを防ぐことができる。
【０１１４】
また、本実施形態では、ＣＰＵ１１は、同一種類の所定の硬貨を出金する枚数が、棒金を構成する複数枚数（例えば、５０枚）未満である場合に、自動釣銭釣札機１７に収納されている所定の硬貨を棒金ドロア２３に収納されている所定の硬貨よりも優先させて硬貨の出金を指示する出金指示情報を生成する。
これにより、出金する枚数が棒金を構成する複数枚数（例えば、５０枚）未満である場合には、自動釣銭釣札機１７から優先されて出金されるので、本実施形態によるＰＯＳシステム１は、棒金を無駄に崩してしまうことを防ぐことができる。
【０１１５】
また、本実施形態では、ＰＯＳレジスタ２は、棒金ドロア２３から出金する所定の硬貨の枚数を特定する情報と、自動釣銭釣札機１７から出金する所定の硬貨の枚数を特定する情報とを含むコード情報を１つの記録媒体（例えば、入出金指示レシート）に出力する出力手段（例えば、ＣＰＵ１１及び印刷部１９）を備えている。
これにより、棒金ドロア２３から出金する硬貨の枚数を特定する情報と、自動釣銭釣札機１７から出金する硬貨の枚数を特定する情報とを含むコード情報を１つの記録媒体に出力するので、本実施形態によるＰＯＳシステム１は、棒金ドロア２３及び自動釣銭釣札機１７からの出金情報を１つの記録媒体により管理することができる。
【０１１６】
また、本実施形態では、ＣＰＵ１１は、棒金ドロア２３と自動釣銭釣札機１７との両方から出金する場合に、棒金ドロア２３と自動釣銭釣札機１７とのうちの一方の出金が完了すると、他方の出金を実行させる。
これにより、本実施形態によるＰＯＳシステム１は、棒金ドロア２３と自動釣銭釣札機１７との両方から確実に出金させることができる。
【０１１７】
また、本実施形態では、ＰＯＳレジスタ２は、棒金ドロア２３から出金した所定の硬貨の枚数を検知する検知手段（例えば、センサー部４０）を備えている。ＣＰＵ１１は、棒金ドロア２３から出金する所定の硬貨の指示枚数と、この検知手段が検知した所定の硬貨の枚数とが一致しない場合に、警告を報知する。具体的に、ＣＰＵ１１は、図１５に示す表示画面Ｇ６のようなエラー表示を店員用表示部１４に表示させる。
これにより、本実施形態によるＰＯＳシステム１は、店員による棒金ドロア２３からの誤出金を防止することができる。よって、本実施形態によるＰＯＳシステム１は、硬貨の移動により、ＰＯＳレジスタ２が収納する硬貨に過不足が生じることを防ぐことができる。
【０１１８】
また、本実施形態では、ＣＰＵ１１は、複数のＰＯＳレジスタ２の間で所定の硬貨を移動する場合に、移動元である出金側のＰＯＳレジスタ２と、移動先である入金側のＰＯＳレジスタ２との両方が、移動後に所定の硬貨の過不足が生じないように、所定の硬貨を移動する枚数を決定する。すなわち、ＣＰＵ１１は、移動元である出金側のＰＯＳレジスタ２に釣銭ニアエンドが生じないように、且つ、移動先である入金側のＰＯＳレジスタ２に釣銭ニアフルが生じないように、移動する枚数を決定する。
これにより、本実施形態によるＰＯＳシステム１は、硬貨の移動により、ＰＯＳレジスタ２が収納する硬貨に過不足（例えば、釣銭ニアエンド又は釣銭ニアフル）が生じることを防ぐことができる。
【０１１９】
また、本実施形態では、ＰＯＳレジスタ２は、少なくとも棒金ドロア２３から出金する所定の硬貨の枚数を示す枚数情報を表示する表示手段（例えば、ＣＰＵ１１及び店員用表示部１４）と、表示手段が表示している枚数情報を変更する変更手段（例えば、ＣＰＵ１１）とを備えている。
これにより、本実施形態によるＰＯＳシステム１は、例えば、出金する硬貨の枚数を店員に把握させることができるとともに、出金する硬貨の枚数を必要に応じて変更することができる。そのため、本実施形態によるＰＯＳシステム１は、柔軟、且つ適切に現金を移動することができる。
【０１２０】
なお、本発明は、上記の各実施形態に限定されるものではなく、本発明の趣旨を逸脱しない範囲で変更可能である。
例えば、上記実施形態では、釣銭ニアエンド（自動釣銭釣札機１７の貨幣がゼロに近い枚数である状態）の場合における貨幣の移動（出金、入金）について説明しているが、釣銭ニアフル（自動釣銭釣札機１７の貨幣が収納許容限度枚数に近い枚数である状態）の場合における貨幣の移動（出金、入金）について同様である。
【０１２１】
また、上記実施形態において、入出金指示情報は、監視装置４の記憶領域に記憶される例を説明したが、これに限定されるものではなく、複数のＰＯＳレジスタ２のうちの１つ又はストアコントローラ３の記憶領域に記憶させてもよい。
また、上記実施形態において、釣銭ニアエンド及び釣銭ニアフルを各ＰＯＳレジスタ２が判定する例を説明したが、監視装置４又はストアコントローラ３が判定してもよい。
【０１２２】
また、上記実施形態において、出金指示と入金指示とを１枚の入出金伝票にまとめて印刷させる例について説明したが、出金伝票と入金伝票とに分けて印刷させてもよい。
また、上記実施形態において、入出金伝票に入出金指示情報の一部をコード化したバーコードを印刷する例を説明したが、ＱＲコード（登録商標）などの他の二次元コードであってもよい。また、ＱＲコード（登録商標）など大容量の情報をコード化可能な場合には、入出金伝票に入出金指示情報の全部をコード化して印刷してもよい。また、この場合、入出金指示情報を監視装置４の記憶領域に記憶させなくてもよい。
【０１２３】
また、上記実施形態において、入出金伝票の発行処理、出金処理、及び入金処理において、従業員バーコードを読み取らせる処理を含む例を説明したが、これに限定されるものではなく、従業員バーコードを読み取らせる処理を含まなくてもよい。
【０１２４】
なお、上述したＰＯＳシステム１が備える各構成は、内部に、コンピュータシステムを有している。そして、上述したＰＯＳシステム１が備える各構成の機能を実現するためのプログラムをコンピュータ読み取り可能な記録媒体に記録して、当該記録媒体に記録されたプログラムをコンピュータシステムに読み込ませ、実行することにより、ＰＯＳシステム１が備える各構成における処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１２５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えば、ＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であってもよい。
【０１２６】
また、上述した機能の一部又は全部を、ＬＳＩ（Large Scale Integration）等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【０１２７】
以下に、付記１〜１１、２１〜２４を開示する。
(付記１)上記問題を解決するために、本発明の一態様は、貨幣を収納する釣銭機と、同一種類の硬貨が複数枚束ねられている棒金を収納する棒金ドロアとを有する精算装置を含む精算システムにおいて、前記精算装置から所定の硬貨の出金が可能であるか否かを判定する際に、前記釣銭機に収納されている硬貨の枚数と、前記棒金ドロアに収納されている硬貨の枚数とに基づいて、前記所定の硬貨の出金が可能であるか否かを判定する制御手段を備えることを特徴とする精算システムである。
上記の精算システムによれば、釣銭機と棒金ドロアとを有する精算装置から所定の硬貨の出金が可能であるか否かを判定する際に、釣銭機に収納されている硬貨の枚数と、棒金ドロアに収納されている硬貨の枚数とに基づいて判定されるので、実際に出金可能か否かをより正確に判定することができる。そのため、上記の精算システムは、好適に現金を移動することができる。
(付記２)また、本発明の一態様は、貨幣を収納する釣銭機と、同一の硬貨が複数枚束ねられている棒金を収納する棒金ドロアとを有する精算装置を含む精算システムにおいて、前記精算装置が収納する所定の硬貨を他装置に移動する際に、前記釣銭機に収納されている硬貨の枚数と、前記棒金ドロアに収納されている硬貨の枚数とに基づいて、前記所定の硬貨の出金が可能であるか否かを判定する制御手段を備えることを特徴とする精算システムである。
上記の精算システムによれば、釣銭機と棒金ドロアとを有する精算装置が収納する所定の硬貨を他装置に移動する際に、釣銭機に収納されている硬貨の枚数と、棒金ドロアに収納されている硬貨の枚数とに基づいて判定されるので、所定の硬貨を他装置に移動するために、実際に出金可能か否かをより正確に判定することができる。そのため、上記の精算システムは、好適に現金を移動することができる。
(付記３)また、本発明の一態様は、上記の精算システムにおいて、前記制御手段は、前記所定の硬貨の出金が可能であると判定した場合であって、同一種類の前記所定の硬貨を出金する枚数が、前記棒金を構成する前記複数枚数以上である場合に、前記棒金ドロアに収納されている硬貨を前記釣銭機に収納されている前記所定の硬貨よりも優先させて出金を指示する出金指示情報を生成することを特徴とする。
上記の精算システムによれば、出金する枚数が、棒金を構成する複数枚数以上である場合には、棒金が優先されて、残りが釣銭機から出金されるので、釣銭機が収納する硬貨が必要以上に減ってしまうことを防ぐことができる。
(付記４)また、本発明の一態様は、上記の精算システムにおいて、前記制御手段は、前記所定の硬貨の出金が可能であると判定した場合であって、同一種類の前記所定の硬貨を出金する枚数が、前記棒金を構成する前記複数枚数未満である場合に、前記釣銭機に収納されている硬貨を前記棒金ドロアに収納されている硬貨より優先させて硬貨の出金を指示する出金指示情報を生成することを特徴とする。
上記の精算システムによれば、出金する枚数が、棒金を構成する複数枚数未満である場合には、釣銭機から優先されて出金されるので、棒金を無駄に崩してしまうことを防ぐことができる。
(付記５)また、本発明の一態様は、上記の精算システムにおいて、前記棒金ドロアから出金する前記所定の硬貨の枚数を特定する情報と、前記釣銭機から出金する前記所定の硬貨の枚数を特定する情報とを含むコード情報を１つの記録媒体に出力する出力手段を備えることを特徴とする。
上記の精算システムによれば、棒金ドロアから出金する硬貨の枚数を特定する情報と、釣銭機から出金する硬貨の枚数を特定する情報とを含むコード情報を１つの記録媒体に出力するので、棒金ドロア及び釣銭機からの出金情報を１つの記録媒体により管理することができる。
(付記６)また、本発明の一態様は、上記の精算システムにおいて、前記制御手段は、前記棒金ドロアと前記釣銭機との両方から出金する場合に、前記棒金ドロアと前記釣銭機とのうちの一方の出金が完了すると、他方の出金を実行させることを特徴とする。
上記の精算システムによれば、棒金ドロアと釣銭機との両方から確実に出金させることができる。
(付記７)また、本発明の一態様は、上記の精算システムにおいて、前記棒金ドロアから出金した前記所定の硬貨の枚数を検知する検知手段を備え、前記制御手段は、前記棒金ドロアから出金する前記所定の硬貨の指示枚数と、前記検知手段が検知した前記所定の硬貨の枚数とが一致しない場合に、警告を報知することを特徴とする。
上記の精算システムによれば、棒金ドロアから棒金を誤って出金することを防ぐことができる。
(付記８)また、本発明の一態様は、上記の精算システムにおいて、前記制御手段は、複数の前記精算装置の間で前記所定の硬貨を移動する場合に、移動元である出金側の前記精算装置と、移動先である入金側の前記精算装置との両方が、移動後に前記所定の硬貨の過不足が生じないように、前記所定の硬貨を移動する枚数を決定することを特徴とする。
上記の精算システムによれば、硬貨の移動により、精算装置が収納する硬貨に過不足が生じることを防ぐことができる。
(付記９)また、本発明の一態様は、上記の精算システムにおいて、少なくとも前記棒金ドロアから出金する前記所定の硬貨の枚数を示す枚数情報を表示する表示手段と、前記表示手段が表示している前記枚数情報を変更する変更手段とを備えることを特徴とする。
上記の精算システムによれば、出金する硬貨の枚数を店員に把握させることができるとともに、出金する硬貨の枚数を必要に応じて変更することができる。
(付記１０)また、本発明の一態様は、貨幣を収納する釣銭機と、同一種類の硬貨が複数枚束ねられている棒金を収納する棒金ドロアとを有する精算装置であって、自装置から所定の硬貨の出金が可能であるか否かを判定する際に、前記釣銭機に収納されている硬貨の枚数と、前記棒金ドロアに収納されている硬貨の枚数とに基づいて、前記所定の硬貨の出金が可能であるか否かを判定する制御手段と、少なくとも前記棒金ドロアから出金する前記所定の硬貨の枚数を示す枚数情報を表示する表示手段とを備えることを特徴とする精算装置である。
上記の精算装置によれば、上記精算システムと同様の効果を得ることができる。
(付記１１)また、本発明の一態様は、上記の精算装置において、前記棒金ドロアから出金する前記所定の硬貨の枚数を特定する情報と、前記釣銭機から出金する前記所定の硬貨の枚数を特定する情報とを含むコード情報を１つの記録媒体に出力する出力手段を備えることを特徴とする。
上記の精算装置によれば、棒金ドロア及び釣銭機からの出金情報を１つの記録媒体により管理することができる。
上述した本発明によれば、好適に現金を移動することができる。
（付記２１）また、本発明の一態様は、貨幣を収納する釣銭機と、同一種類の硬貨が複数枚束ねられている棒金を収納する棒金ドロアとを有する精算装置を含む精算システムにおける制御装置であって、前記精算装置から所定の硬貨の出金が可能であるか否かを判定する際に、前記釣銭機に収納されている硬貨の枚数と、前記棒金ドロアに収納されている硬貨の枚数とに基づいて、前記所定の硬貨の出金が可能であるか否かを判定する制御手段を備え、前記制御手段は、前記所定の硬貨の出金が可能であると判定した場合であって、同一種類の前記所定の硬貨を出金する枚数が、前記棒金を構成する前記複数枚数以上である場合に、前記棒金ドロアに収納されている硬貨を前記釣銭機に収納されている前記所定の硬貨よりも優先させて出金を指示する出金指示情報を生成することを特徴とする制御装置である。
上記の制御装置によれば、上記精算システムと同様の効果を得ることができる。
（付記２２）また、本発明の一態様は、貨幣を収納する釣銭機と、同一種類の硬貨が複数枚束ねられている棒金を収納する棒金ドロアとを有する精算装置を含む精算システムにおける制御装置であって、前記精算装置から所定の硬貨の出金が可能であるか否かを判定する際に、前記釣銭機に収納されている硬貨の枚数と、前記棒金ドロアに収納されている硬貨の枚数とに基づいて、前記所定の硬貨の出金が可能であるか否かを判定する制御手段を備え、前記制御手段は、前記所定の硬貨の出金が可能であると判定した場合であって、同一種類の前記所定の硬貨を出金する枚数が、前記棒金を構成する前記複数枚数未満である場合に、前記釣銭機に収納されている硬貨を前記棒金ドロアに収納されている硬貨より優先させて硬貨の出金を指示する出金指示情報を生成することを特徴とする制御装置である。
上記の制御装置によれば、上記精算システムと同様の効果を得ることができる。
（付記２３）また、本発明の一態様は、コンピュータを、貨幣を収納する釣銭機と、同一種類の硬貨が複数枚束ねられている棒金を収納する棒金ドロアとを有する精算装置を含む精算システムにおける制御装置として機能させるプログラムであって、コンピュータを、前記精算装置から所定の硬貨の出金が可能であるか否かを判定する際に、前記釣銭機に収納されている硬貨の枚数と、前記棒金ドロアに収納されている硬貨の枚数とに基づいて、前記所定の硬貨の出金が可能であるか否かを判定する制御手段として機能させ、前記制御手段は、前記所定の硬貨の出金が可能であると判定した場合であって、同一種類の前記所定の硬貨を出金する枚数が、前記棒金を構成する前記複数枚数以上である場合に、前記棒金ドロアに収納されている硬貨を前記釣銭機に収納されている前記所定の硬貨よりも優先させて出金を指示する出金指示情報を生成するプログラムである。
上記のプログラムによれば、上記精算システムと同様の効果を得ることができる。
（付記２４）また、本発明の一態様は、コンピュータを、貨幣を収納する釣銭機と、同一種類の硬貨が複数枚束ねられている棒金を収納する棒金ドロアとを有する精算装置を含む精算システムにおける制御装置として機能させるプログラムであって、コンピュータを、前記精算装置から所定の硬貨の出金が可能であるか否かを判定する際に、前記釣銭機に収納されている硬貨の枚数と、前記棒金ドロアに収納されている硬貨の枚数とに基づいて、前記所定の硬貨の出金が可能であるか否かを判定する制御手段として機能させ、前記制御手段は、前記所定の硬貨の出金が可能であると判定した場合であって、同一種類の前記所定の硬貨を出金する枚数が、前記棒金を構成する前記複数枚数未満である場合に、前記釣銭機に収納されている硬貨を前記棒金ドロアに収納されている硬貨より優先させて硬貨の出金を指示する出金指示情報を生成するプログラムである。
上記のプログラムによれば、上記精算システムと同様の効果を得ることができる。
【符号の説明】
【０１２８】
１…ＰＯＳシステム、２…ＰＯＳレジスタ、３…ストアコントローラ、４…監視装置、１１…ＣＰＵ、１２…ＲＯＭ、１３…ＲＡＭ、１４…店員用表示部、１５…操作部、１６…客用表示部、１７…自動釣銭釣札機、１７ａ…硬貨放出口、１７ｂ…硬貨投入口、１８…スキャナ部、１９…印刷部、２０…通信部、２１…撮像部、２２…ハードディスク、２３…棒金ドロア、３０…収納部、４０…センサー部
【図１】
2019083075.tif 000003
【図２】
2019083075.tif 000004
【図３】
2019083075.tif 000005
【図４】
2019083075.tif 000006
【図５】
2019083075.tif 000007
【図６】
2019083075.tif 000008
【図７】
2019083075.tif 000009
【図８】
2019083075.tif 000010
【図９】
2019083075.tif 000011
【図１０】
2019083075.tif 000012
【図１１】
2019083075.tif 000013
【図１２】
2019083075.tif 000014
【図１３】
2019083075.tif 000015
【図１４】
2019083075.tif 000016
【図１５】
2019083075.tif 000017
【図１６】
2019083075.tif 000018
【図１７】
2019083075.tif 000019
【図１８】
2019083075.tif 000020